(57)【要約】【課題】買い物先等で、容易に在庫品目等を確認することができる在庫管理システムを提供することを目的とする。【解決手段】食品在庫管理システム１００に係る発明は、購入食品の品目、数量、賞味期限または消費期限を入力する入力手段１２と、前記購入食品の品目、数量、賞味期限または消費期限を管理する在庫管理データベース１５と、データを送受信する通信手段１４と、を有する在庫管理装置１０と、ネットワーク５０を介して、前記在庫管理装置１０にアクセスし、前記購入食品の品目、数量、賞味期限または消費期限に関するデータを受信する通信手段２４と、前記受信した購入食品の品目、数量、賞味期限または消費期限を表示する表示手段２３と、を有する携帯端末２０と、を備えることを特徴とする。【選択図】図１
2013037503.tif 000002
【特許請求の範囲】
【請求項１】
購入食品の品目、数量、賞味期限または消費期限を入力する入力手段と、
前記購入食品の品目、数量、賞味期限または消費期限を管理する在庫管理データベースと、
データを送受信する通信手段と、
を有する在庫管理装置と、
ネットワークを介して、前記在庫管理装置にアクセスし、前記購入食品の品目、数量、賞味期限または消費期限に関するデータを受信する通信手段と、
前記受信した購入食品の品目、数量、賞味期限または消費期限を表示する表示手段と、
を有する携帯端末と、
を備えることを特徴とする食品在庫管理システム。
【請求項２】
請求項１に記載の食品在庫管理システムにおいて、
前記表示手段は、賞味期限または消費期限の近い順にソートした、購入食品の品目、数量、賞味期限または消費期限を表示する
ことを特徴とする食品在庫管理システム。
【請求項３】
請求項１または２に記載の食品在庫管理システムにおいて、
前記携帯端末は、新たに購入される、または、新たに購入された購入食品の品目、数量、賞味期限または消費期限を入力する入力手段を更に有する
ことを特徴とする食品在庫管理システム。
【請求項４】
請求項３に記載の食品在庫管理システムにおいて、
前記携帯端末の通信手段は、前記新たに購入された購入食品の品目、数量、賞味期限または消費期限に関するデータを前記在庫管理データベースに送信し、
前記在庫管理データベースは、前記通信手段で受信した前記新たに購入された購入食品の品目、数量、賞味期限または消費期限に関するデータに基づき、在庫データを更新する
ことを特徴とする食品在庫管理システム。
【請求項５】
請求項１〜４のいずれか一項に記載の食品在庫管理システムにおいて、
前記在庫管理装置は、表示手段を有する冷蔵庫、または、表示手段を有するホームエネルギーマネジメントシステムに設けられている
ことを特徴とする食品在庫管理システム。
【発明の詳細な説明】
【技術分野】
【０００１】
本発明は、食品在庫管理システムに関する。
【背景技術】
【０００２】
従来、購入品のレシートやバーコードを読み取り、購入品の冷蔵庫内の在庫を管理する在庫管理冷蔵庫があった（特許文献１）。例えば、特許文献１は、購入品のレシートを読取るレシート読取り手段と、レシートに記載された購入品目の文字情報を認識し、購入品リストとして出力する文字認識手段と、冷蔵庫の在庫管理を行なうデータベースと、データベースを検索し、前記購入品リストの中から、冷蔵庫に格納する品目の候補を抽出する候補抽出手段と、候補抽出手段により抽出された購入品を前記データベースに登録するデータベース制御手段とを備えた在庫管理冷蔵庫を開示する。
【先行技術文献】
【特許文献】
【０００３】
【特許文献１】特開２００２−１１５９５６号公報
【発明の概要】
【発明が解決しようとする課題】
【０００４】
しかし、従来の在庫管理方法では、在庫管理冷蔵庫の表示手段でのみ在庫の確認が可能であり、買い物先で、在庫を確認するためには、外出時に在庫品目をメモ等に記録する必要があった。そこで、買い物先で、容易に在庫品目を確認することが望まれる。
【０００５】
本発明は、買い物先等で、容易に在庫品目等を確認することができる在庫管理システムを提供することを目的とする。
【課題を解決するための手段】
【０００６】
上記課題の少なくとも一つを解決するために、請求項１に記載の食品在庫管理システム１００に係る発明は、例えば、図１〜図３に示すように、
購入食品の品目、数量、賞味期限または消費期限を入力する入力手段１２と、
前記購入食品の品目、数量、賞味期限または消費期限を管理する在庫管理データベース１５と、
データを送受信する通信手段１４と、
を有する在庫管理装置１０と、
ネットワーク５０を介して、前記在庫管理装置１０にアクセスし、前記購入食品の品目、数量、賞味期限または消費期限に関するデータを受信する通信手段２４と、
前記受信した購入食品の品目、数量、賞味期限または消費期限を表示する表示手段２３と、
を有する携帯端末２０と、
を備えることを特徴とする。
【０００７】
請求項１に記載の発明によれば、前記在庫管理装置１０から受信した購入食品の品目、数量、賞味期限または消費期限を表示する表示手段２３を携帯端末２０が有するので、携帯端末２０で、前記在庫管理装置１０で管理されている前記購入食品の品目、数量、賞味期限または消費期限を確認することができる。
【０００８】
請求項２に記載の発明は、例えば、図２に示すように、
請求項１に記載の食品在庫管理システム１００において、
前記表示手段２３は、賞味期限または消費期限の近い順にソートした、前記在庫管理装置１０で管理されている購入食品の品目、数量、賞味期限または消費期限を表示する
ことを特徴とする。
【０００９】
請求項２に記載の発明によれば、賞味期限または消費期限の近い順にソートした、購入食品の品目、数量、賞味期限または消費期限を携帯端末２０の表示装置２３が表示するので、携帯端末２０で、賞味期限または消費期限の近い順に、購入食品の品目、数量、賞味期限または消費期限を確認することができる。
【００１０】
請求項３に記載の発明は、例えば、図１〜図３に示すように、
請求項１または２に記載の食品在庫管理システム１００において、
前記携帯端末２０は、新たに購入される、または、新たに購入された購入食品の品目、数量、賞味期限または消費期限を入力する入力手段２２を更に有する
ことを特徴とする。
【００１１】
請求項３に記載の発明によれば、新たに購入される、または、新たに購入された購入食品の品目、数量、賞味期限または消費期限を入力するので、在庫管理装置から入力する手間を省くことができる。携帯端末を使用することにより、買い物をしながら、または、支払い後に入力することができる。
【００１２】
請求項４に記載の発明は、例えば、図２、図３に示すように、
請求項３に記載の食品在庫管理システム１００において、
前記携帯端末２０の通信手段２４は、前記新たに購入された購入食品の品目、数量、賞味期限または消費期限に関するデータを前記在庫管理データベース１５に送信し、
前記在庫管理データベース１５は、前記通信手段１４で受信した前記新たに購入された購入食品の品目、数量、賞味期限または消費期限に関するデータに基づき、在庫データを更新することを特徴とする。
【００１３】
請求項４に記載の発明によれば、前記在庫管理データベース１５は、前記通信手段１４で受信した前記新たに購入された購入食品の品目、数量、賞味期限または消費期限に関するデータに基づき、在庫データを更新するので、前記在庫管理装置１０と直接、または、前記在庫管理装置１０とネットワークを介して確実に在庫管理データベースの在庫データを更新することができる。
【００１４】
請求項５に記載の発明は、例えば、図１に示すように、
請求項１〜４のいずれか一項に記載の食品在庫管理システム１００において、
前記在庫管理装置１０は、表示手段１３を有する冷蔵庫、または、表示手段１３を有するホームエネルギーマネジメントシステムに設けられている
ことを特徴とする。
【００１５】
請求項５に記載の発明によれば、表示手段１３を有する冷蔵庫、または、表示手段１３を有するホームエネルギーマネジメントシステムに設けられているので、携帯端末２０に加えて、冷蔵庫、またはホームエネルギーマネジメントシステムで在庫を確認することができる。
【発明の効果】
【００１６】
本発明によれば、前記在庫管理装置から受信した購入食品の品目、数量、賞味期限または消費期限を表示する表示手段を有するので、携帯端末で、前記購入食品の品目、数量、賞味期限または消費期限を確認することができる。
【図面の簡単な説明】
【００１７】
【図１】本発明に係る食品在庫管理システムの一例を示す図であり、機能ブロック図である。
【図２】同、食品在庫管理システムの動作例を示すフローチャートである。
【図３】同、携帯端末における画面遷移の一例である。
【発明を実施するための形態】
【００１８】
以下、図面を参照して本発明の実施の形態について説明する。
【００１９】
＜実施の形態＞
（食品在庫管理システムの構成）
図１において、食品在庫管理システム１００を示す。食品在庫管理システム１００は、在庫管理装置１０と携帯端末２０とから少なくとも構成される。在庫管理装置１０と携帯端末２０とは、有線によるデータ通信、遠赤外線、Bluetooth（ブルートゥース、ブルーツース）等のデータ通信、インターネット等のネットワーク５０を介したデータ通信が可能である。携帯端末２０としては、スマートフォン、ＰＤＡ（Personal Digital Assistants）などが使用できる。
【００２０】
在庫管理装置１０は、新たに購入した購入食品の品目、数量、賞味期限または消費期限を入力する入力手段１２と、購入食品の品目、数量、賞味期限または消費期限の在庫データ等を表示する表示手段１３と、在庫データ等を送受信する通信手段１４と、前記購入食品の品目、数量、賞味期限または消費期限を管理する在庫管理データベース１５と、入力手段１２、表示手段１３、通信手段１４、在庫管理データベース１５の各種動作を制御する制御手段１１等を有する。前記在庫管理装置１０は、表示手段１３を有する冷蔵庫、または、表示手段１３を有するホームエネルギーマネジメントシステムに設けられている。ホームエネルギーマネジメントシステムは、家庭におけるエネルギー消費状態等（電力消費、省エネ、発電状況等）を監視し、管理するシステムであり、住宅内のエネルギー消費機器をネットワークで接続し、各種機器の稼動状況やエネルギー消費状況の監視、遠隔操作や自動制御などを可能にする。
【００２１】
携帯端末２０は、新たに購入した購入食品の品目、数量、賞味期限または消費期限等を入力する入力手段２２と、ネットワーク５０を介して、前記在庫管理装置１０にアクセスし、前記購入食品の品目、数量、賞味期限または消費期限に関するデータを受信する通信手段２４と、前記受信した購入食品の品目、数量、賞味期限または消費期限を表示する表示手段２３と、入力手段２２、表示手段２３、通信手段２４、記憶手段２５の各種動作を制御する制御手段２１等を有する。入力手段２２は、新たに購入される、または、新たに購入された購入食品の品目、数量、賞味期限または消費期限を入力に使用される。
【００２２】
入力手段１２は、キーボードやバーコードリーダであり、例えば、冷蔵庫の在庫の出し入れ時に使用者が入力するためのものである。例えば、入力手段１２が、食品を庫内に入れるとき、又は出すときに、この食品に貼り付けられたバーコードを読み取ると、制御手段１１が、在庫管理データベースを更新する。また、携帯端末２０の入力手段２２は、購入食品に貼り付けられたバーコードを読み取るバーコードリーダやタッチパネル方式のキーボードを有する。使用者が購入した食品のバーコードを読み取ると、制御手段２１が、記憶手段に在庫データを記憶する。
【００２３】
入力手段は在庫管理装置１０と携帯端末２０の両方に設けてあるが、新たに購入した購入食品の在庫データについては、在庫管理装置１０と携帯端末２０のいずれかの入力手段のみを用いて入力し、重複するデータが発生しないようにする。例えば、在庫管理装置１０と携帯端末２０とが、通信手段１４，２４を用いて、所定時間毎に新たな購入食品の在庫データが入力されたか否かを確認する。そして、携帯端末２０で新たな購入食品の在庫データが入力された場合は、在庫管理装置１０では、携帯端末２０からの追加されるべき在庫データの更新が行われるまで、新たな購入食品の在庫データの入力を受け付けないように制御手段１１が入力手段１２を制御する。
【００２４】
（在庫管理装置１０と携帯端末２０との動作例）
次に、図２、図３を参照して、在庫管理装置１０と携帯端末２０との動作例を説明する。
【００２５】
使用者は、携帯端末２０を操作し、ネットワーク５０を介して、冷蔵庫内の食品の在庫データを在庫管理装置１０に要求する（ステップＳ１、図３（ａ））。
【００２６】
制御手段２１が消費期限の近い順にソートし、前記表示手段２３は、ソートされた購入食品の品目、数量、賞味期限または消費期限を表示する（ステップS２、図３（ｂ））。なお、賞味期限または消費期限の近い順にソートは、在庫管理装置１０の制御部１１で行ってもよい。
【００２７】
使用者は、新たに購入された購入食品の品目、数量、消費期限を入力手段２２を用いて携帯端末２０に入力する（ステップＳ４）。例えば、在庫品目、数量、消費期限を表示した画面の新規入力ボタンを押下すると（ステップＳ３、図３（ｂ））、入力画面に遷移する（図３（ｃ））。そして、入力手段２２により、新たに購入された購入食品の品目、数量、消費期限を入力する。ここで、消費期限は残日数を表示しているが、日付を表示するようにしてもよい。携帯端末２０は、食品に付けられているバーコード、ＱＲコードのデータをカメラから読み込み、または、ＩＣチップのデータを読み取る機能を有している。
【００２８】
使用者は、新たに購入された購入食品の品目、数量、消費期限を入力するが終わると、在庫管理装置１０の在庫管理データベースを更新するかを決定する（ステップＳ５、図３（ｃ））。
【００２９】
更新ボタンが押下されると、前記携帯端末２０の通信手段２４は、ネットワークを介して、前記新たに購入された購入食品の品目、数量、消費期限に関するデータを前記在庫管理データベース１５に送信し、前記在庫管理データベース１５は、前記通信手段１４で受信した前記新たに購入された購入食品の品目、数量、賞味期限または消費期限に関するデータに基づき、ネットワーク５０を介して在庫データを更新する（ステップS６）。ここで、ネットワーク５０を介してデータの更新をしないときに終了ボタンが押下された場合には、購入食品のデータを記憶手段２５に記憶しておき、家に帰ってから、遠赤外線通信などを利用して、在庫管理データベース１５を更新する。
【００３０】
本実施の形態によれば、前記在庫管理装置１０から受信した購入食品の品目、数量、賞味期限または消費期限を表示する表示手段２３を携帯端末２０が有するので、携帯端末２０で、前記在庫管理装置１０で管理されている前記購入食品の品目、数量、賞味期限または消費期限を確認することができる。
【００３１】
また、賞味期限または消費期限の近い順にソートした、購入食品の品目、数量、賞味期限または消費期限を携帯端末２０の表示装置２３が表示するので、携帯端末２０で、賞味期限または消費期限の近い順に、前記在庫管理装置１０で管理されている購入食品の品目、数量、賞味期限または消費期限を確認することができる。
【００３２】
また、新たに購入される、または、新たに購入された購入食品の品目、数量、賞味期限または消費期限を入力するので、在庫管理装置から入力する手間を省くことができる。携帯端末を使用することにより、買い物をしながら、または、支払い後に入力することができる。
【００３３】
また、前記在庫管理データベース１５は、前記通信手段１４で受信した前記新たに購入された購入食品の品目、数量、賞味期限または消費期限に関するデータに基づき、在庫データを更新するので、前記在庫管理装置１０と直接、または、前記在庫管理装置１０とネットワークを介して確実に在庫管理データベースの在庫データを更新することができる。
【００３４】
また、表示手段１３を有する冷蔵庫、または、表示手段１３を有するホームエネルギーマネジメントシステムに設けられているので、携帯端末２０に加えて、冷蔵庫、またはホームエネルギーマネジメントシステムで在庫を確認することができる。
【００３５】
（変形例）
上記実施の形態においては、在庫データを単に携帯端末２０の表示手段２３に表示等させただけであるが、本変形例では、献立支援機能により、不足する食品を表示手段２３に表示させるようにしてもよい。なお、変形例においては、上記実施の形態と同じ部材には同一の符号を付し、説明を省略する。
【００３６】
この場合、図１の制御手段２１は、記憶手段２５に予め記憶されている献立情報データを取り出して、献立の一覧を表示手段２３に表示する。そして、使用者が選択した献立に使用する食品の量と、在庫管理装置１０から取得した在庫データを比較する。そして、不足している食品を抽出し、表示手段２３に表示する。不足している食品が無ければ、その旨を表示手段２３に表示し、不足している食品があれば、その食品の品目及び量を表示する。尚、献立の人数は予め登録されている家族の人数を使用するので、お客等の訪問等により人数が変動したとき以外は、入力操作は不要である。
【００３７】
このように本変形例では、不足する食品がすぐにわかり使用者の利便性が向上する。
【００３８】
また、賞味期限が迫っている食品を使用する献立支援機能も備えていてもよい。例えば、制御手段２１は、在庫管理装置１０から取得した在庫データを記憶手段２５から読み出して表示手段２３に賞味期限または消費期限の近い順に在庫の食品を表示する。使用者が、入力手段２２から使用する食品を選ぶと、記憶手段２５に記憶された献立情報データからこの食品を使用する献立情報を取り出して、献立の一覧を表示手段２３に表示する。これにより、食品を無駄にすることがなく有効に利用することができ、献立を決めるのが容易になる。
【符号の説明】
【００３９】
１０   在庫管理装置
１１   制御手段
１２   入力手段
１３   表示手段
１４   通信手段
１５   在庫管理データベース
２０   携帯端末
２１   制御手段
２２   入力手段
２３   表示手段
２４   通信手段
２５   記憶手段
５０   ネットワーク
１００ 食品在庫管理システム
【図１】
2013037503.tif 000003
【図２】
2013037503.tif 000004
【図３】
2013037503.tif 000005